(57)【要約】【課題】  低電力で動作する電磁錠を用い、電磁錠による扉の施錠状態を容易に確認できる施錠システムを提供する。【解決手段】  住宅用の施錠システムにおいて、門扉や玄関扉等に電磁錠を設け、電磁吸着力で扉を施錠する。電磁錠を制御する制御器６に複数の操作器７を接続する。制御器６は商用交流電圧を直流１２Ｖに変換し、電磁錠と操作器７に電力を供給する。制御器６の操作パネル１１に、扉の開けっ放し状態を表示するドアランプ１５と、扉を連続解錠状態と連続施錠状態とに切り替えるスイッチ１６と、連続解錠状態を表示するランプ１７と、扉を一時解錠状態とするスイッチ１８と、一時解錠状態を表示するランプ１９とを設ける。同様に機能するスイッチ２６，２８とランプ２５，２７，２９を操作器７の操作パネル２１にも配設する。【選択図】        図３
2008088740.tif 000002
【特許請求の範囲】
【請求項１】
電磁吸着力で扉を施錠する電磁錠と、電磁錠を制御する制御器とを備え、制御器に電磁錠への通電を断続する操作部と、扉の施錠状態を表示する表示部とを設けたことを特徴とする施錠システム。
【請求項２】
前記操作部が、扉を連続解錠状態と連続施錠状態とに切り替えるスイッチと、扉を一時解錠状態とするスイッチとを含む請求項１記載の施錠システム。
【請求項３】
前記表示部が、扉の連続解錠状態を表示するランプと、扉の一時解錠状態を表示するランプと、扉の開けっ放し状態を表示するランプとを含む請求項２記載の施錠システム。
【請求項４】
前記制御器を室内に設置し、室外の解錠信号発生器を制御器に接続し、制御器が解錠信号に応答して電磁錠を解錠状態とする制御回路を備えた請求項１〜３のいずれか一項に記載の施錠システム。
【請求項５】
前記制御器が商用交流電圧を直流１２Ｖに変換して電磁錠に供給する電源回路を備えた請求項１〜４のいずれか一項に記載の施錠システム。
【請求項６】
電磁錠への通電を断続する操作器を制御器に接続し、制御器の電源回路から操作器に直流１２Ｖの動作電圧を供給する請求項５記載の施錠システム。
【請求項７】
前記操作器に扉を連続解錠状態と連続施錠状態とに切り替えるスイッチと、扉を一時解錠状態とするスイッチと、扉の連続解錠状態を表示するランプと、扉の一時解錠状態を表示するランプと、扉の開けっ放し状態を表示するランプとを設けた請求項６記載の施錠システム。
【発明の詳細な説明】
【技術分野】
【０００１】
本発明は、電磁錠を用いて扉を施錠するシステムに関する。
【背景技術】
【０００２】
従来、建造物の扉を電気錠によって施錠するシステムが知られている。例えば、特許文献１には、住宅の扉に直流２４Ｖで動作する電気錠を組み込み、電気錠にデッドボルトを駆動するモータを内蔵し、デッドボルトで扉を機械的に施錠するシステムが記載されている。しかし、この種の電気錠は、デッドボルトの切断やピッキング等による被害を受けやすく、取付工事に手間がかかり、雨水によって動作不良を招くなどの問題点があった。
【０００３】
そこで、近年、電磁石の吸着力を利用して扉を施錠するシステムが提案されている。例えば、特許文献２には、住宅の扉または扉枠に電磁錠を取り付け、室内に電源収納箱を設置し、扉に既設のサムターンやシリンダー錠、あるいは、リモコンキーやテンキー等の外部機器を電磁錠のスイッチとして利用するシステムが記載されている。
【特許文献１】特開平１０−２８０７６０号公報
【特許文献２】特開２００４−２４５０４１号公報
【発明の開示】
【発明が解決しようとする課題】
【０００４】
ところが、従来の電磁錠を用いたシステムによると、スイッチ操作で扉を施解錠することはできても、扉の施錠状態を確認することができなかった。このため、例えば、離れた場所の戸締りにわざわざ扉まで出向く必要があったり、扉が開けっ放しの状態で電磁錠に通電して戸締りを終えたと誤認したりするなどの問題点があった。また、従来システムでは、電気錠用の電源を利用できるように、電磁錠が直流２４Ｖで動作するため、夜間や留守中に長時間通電した場合に、電磁錠の発熱量が大きくなるという不具合もあった。
【０００５】
本発明は上記課題に着目してなされたものであり、その目的は、電磁錠による扉の施錠状態を離れた場所からでも容易に確認できる施錠システムを提供することにある。本発明の別の目的は、低電力で動作する電磁錠を用いた施錠システムを提供することにある。
【課題を解決するための手段】
【０００６】
上記課題を解決するために、本発明は以下の特徴的な施錠システムを提供する。
（１）電磁吸着力で扉を施錠する電磁錠と、電磁錠を制御する制御器とを備え、制御器に電磁錠への通電を断続する操作部と、扉の施錠状態を表示する表示部とを設けたことを特徴とする施錠システム。
（２）操作部に扉を連続解錠状態と連続施錠状態とに切り替えるスイッチと、扉を一時解錠状態とするスイッチとを設けたことを特徴とする施錠システム。
（３）表示部に扉の連続解錠状態を表示するランプと、扉の一時解錠状態を表示するランプと、扉の開けっ放し状態を表示するランプとを設けたことを特徴とする施錠システム。
（４）制御器を室内に設置し、室外の解錠信号発生器を制御器に接続し、制御器が解錠信号に応答し電磁錠を解錠状態とする制御回路を備えたことを特徴とする施錠システム。
【０００７】
（５）制御器が商用交流電圧を直流１２Ｖに変換して電磁錠に供給する電源回路を備えたことを特徴とする施錠システム。
（６）電磁錠への通電を断続する操作器を制御器に接続し、制御器の電源回路から操作器に直流１２Ｖの動作電圧を供給することを特徴とする施錠システム。
（７）操作器に扉を連続解錠状態と連続施錠状態とに切り替えるスイッチと、扉を一時解錠状態とするスイッチと、扉の連続解錠状態を表示するランプと、扉の一時解錠状態を表示するランプと、扉の開けっ放し状態を表示するランプとを設けたことを特徴とする施錠システム。
【発明の効果】
【０００８】
本発明の施錠システムは次のような効果を奏する。
（１）電磁錠を制御する制御器に表示部を設けたので、表示部の表示に基づいて、離れた場所の扉の施錠状態を容易に確認できる。
（２）制御器の操作部に二つのスイッチを設けたので、簡単な操作で扉の施錠状態を連続解錠、連続施錠、一時解錠の三通りに切り替えることができる。
（３）制御器の表示部に三つのランプを設けたので、ランプの点灯または消灯に基づいて、扉の開けっ放し状態、連続解錠状態、連続施錠状態または一時解錠状態を明確に識別することができる。
（４）制御器に解錠信号発生器を接続したので、電磁錠を室外から容易に解錠することができる。
【０００９】
（５）制御器に直流１２Ｖの電源回路を設けたので、電磁錠を低電力で経済的かつ安全に動作させることができる。
（６）直流１２Ｖで動作する操作器を制御器に接続したので、扉の施解錠を複数の場所で制御でき、システムの拡張性が向上する。
（７）操作器に制御器と同様に機能するスイッチとランプとを設けたので、システムの利便性が向上する。
【発明を実施するための最良の形態】
【００１０】
以下、本発明を住宅用の施錠システムに具体化した一実施形態を図面に基づいて説明する。図１は住宅用施錠システム１の全体的な構成を例示する。この住宅２では、屋外の門扉３に電磁錠４が設けられ、電磁錠４の電磁吸着力で門扉３が施錠される。電磁錠４は電気配線５を介して居室に設置された制御器６に接続されている。制御器６と同じ居室には操作器７Ａが設置され、別の二つの居室にそれぞれ操作器７Ｂ，７Ｃが設置されている。三台の操作器７Ａ，７Ｂ，７Ｃは電気配線８を介して制御器６に接続され、制御器６から各操作器７Ａ，７Ｂ，７Ｃに電力が供給される。そして、屋内の四箇所から門扉３の電磁錠４を遠隔操作できるようになっている。
【００１１】
なお、図１のシステム構成は一例に過ぎず、操作器７Ａを門扉３の近くに設置したり、電磁錠４をガレージのシャッターに設けたりするなど、電磁錠４、制御器６、操作器７の設置場所や数を住宅２の間取りに応じて適宜変更することができる。図２は電磁錠４を玄関の扉３に設けた施錠システムを示す。この施錠システム９では、玄関室に制御器６が設置され、一階の二つの居室に操作器７Ｂ，７Ｃが設置され、二階の居室に操作器７Ａが設置されている。そして、屋内の四箇所から玄関扉３の電磁錠４を遠隔操作できるように構成されている。
【００１２】
図３は制御器６および操作器７の外観的な構成を示す。図３（ａ）に示すように、制御器６は室内の壁面等に取り付けられる埋込式のケース１０を備え、ケース１０の内部に回路基板３１が設けられている。ケース１０の前面には操作パネル１１が開閉可能に設けられ、操作パネル１１に上下三段の表示部１２，１３，１４が配設されている。図３（ｂ）に示すように、操作器７は制御器６よりも小型のケース２０を備え、ケース２０の内部に回路基板４９が設けられ、操作パネル２１に上下三段の表示部２２，２３，２４が配設されている。
【００１３】
制御器６および操作器７において、上段の表示部１２，２２には、扉３の開けっ放し状態を表示するドアランプ１５，２５が設けられている。中段の表示部１３，２３には、扉３を連続解錠状態と連続施錠状態とに切り替えるフリースイッチ１６，２６と、扉３が連続解錠状態であるときに点灯するフリーランプ１７，２７とが設けられている。下段の表示部１４，２４には、扉３を一時解錠状態とするオープンスイッチ１８，２８と、扉３が一時解錠状態であるときに点灯するオープンランプ１９，２９とが設けられている。ドアランプ１５，２５、フリーランプ１７，２７およびオープンランプ１９，２９は、扉３の施錠状態を表示する表示部であって、それぞれに異なる色のＬＥＤランプが用いられている。
【００１４】
フリースイッチ１６，２６は電磁錠４への通電を断続するための操作部であって、このスイッチ１６，２６が押されたときに、フリーランプ１７，２７が点灯し、電磁錠４が消磁され、扉３が連続的に解錠され、再びスイッチ１６，２６が押されると、ランプ１７，２７が消灯し、電磁石３が励磁され、扉３が連続的に施錠される。オープンスイッチ１８，２８は扉３の施錠状態で電磁錠４への通電を一時的に遮断するための操作部であって、このスイッチ１８，２８が押されたときに、オープンランプ１９，２９が点灯し、電磁錠４が所定時間（例えば５秒間）消磁され、扉３が一時的に解錠され、所定時間が経過すると、ランプ１９，２９が消灯し、電磁錠４が励磁され、扉３が施錠される。
【００１５】
従って、制御器６および操作器７において、居住者はフリースイッチ１６，２６またはオープンスイッチ１８，２８を押すだけの簡単な操作で、扉３の施錠状態を連続解錠、連続施錠、一時解錠の三通りに切り替えることができる。また、居住者はドアランプ１５，２５、フリーランプ１７，２７およびオープンランプ１９，２９の点灯または消灯に基づいて、扉３の現在の状態が開けっ放し状態であるか、連続解錠状態であるか、連続施錠状態であるか、一時解錠状態であるかを一目瞭然と識別することもできる。
【００１６】
図４は施錠システム１，９の電気的な構成を示す。制御器６の回路基板３１上には、トランス３２とＡＣ−ＤＣコンバータ３３と制御回路３４とが設けられている。トランス３２およびコンバータ３３は、商用交流電源３５のＡＣ１００ＶをＤＣ１２Ｖに変換する電源回路３６を構成している。回路基板３１上には、表示部１２，１３，１４を制御回路３４に接続する表示部接続端子３７と、電磁錠４の電磁石５１と開扉スイッチ５２とを制御回路３４に接続する電磁錠接続端子３８と、操作器７Ａ，７Ｂ，７Ｃを制御回路３４に接続する操作器接続端子３９と、テンキー４３等の解錠信号発生器を制御回路３４に接続する解錠信号入力端子４０と、ブザーやランプ等の警報器４２を制御回路３４に接続する警報出力端子４１とが配設されている。
【００１７】
制御回路３４は、前述したように、フリースイッチ１６およびオープンスイッチ１８の操作に応答し、フリーランプ１７、オープンランプ１９、電磁石５１への通電を制御するとともに、開扉スイッチ５２からの開扉信号に応答してドアランプ１５を点灯させる。操作器７の回路基板４９（図３ｂ参照）にも、制御器６と同様に機能する制御回路（図示略）が設けられている。電源回路３６は、ＤＣ１２Ｖの動作電圧を制御回路３４を介して電磁錠４に供給し、同時に操作器７Ａ，７Ｂ，７Ｃにも供給する。従って、電磁錠４を従来の半分の電力で経済的に動作させることができるうえ、長時間通電した場合の電磁錠４の発熱量を従来と比較し大幅に低下させることができ、また、三台の操作器７Ａ，７Ｂ，７Ｃの専用電源も不要になる。
【００１８】
テンキー４３は、図２の施錠システム９において、玄関室の外に設置された解錠信号発生器であって、正規の入室番号が入力されたときに解錠信号を発生し、制御回路３４が外部からの解錠信号に応答して電磁石５１を所定時間（例えば５秒間）だけ消磁する。解錠信号発生器としては、テンキー４３のほかに、無線を利用したリモコンキー４４、非接触式のカード読取器４５、指紋認証器４６、静脈認証器４７等の各種入力機器を使用することができる。こうすれば、室内の制御器６および操作器７に加え、室外からの解錠信号によって玄関扉３の電磁錠４を容易に解錠でき、施錠システム１の利便性が向上する。
【００１９】
図５（ａ），（ｂ）は電磁錠４の取付構造を例示する。電磁錠４はケース５０の内側に電磁石５１と開扉スイッチ５２とを備え、電磁石５１および開扉スイッチ５２が電気配線５を介して制御器６に接続されている。ケース５０はネジ５３でブラケット５４に固定され、ブラケット５４がネジ５５で扉枠５６（玄関扉３の場合）に取り付けられている。電磁石５１と対向する位置において、扉３には吸着板５７がネジ５８により緩衝材５９を介して装着されている。緩衝材５９はゴム等の柔軟材料からなり、吸着板５７が電磁石５１に偏当りしないように、吸着板５７を扉３に対し遊動可能に保持している。なお、電磁錠４を扉３に取り付け、吸着板５７を扉枠５６に装着することも可能である。
【００２０】
本発明は上記実施形態に限定されるものではなく、以下に例示するように、発明の趣旨を逸脱しない範囲で各部の構成を適宜に変更して実施することも可能である。
（１）図４ににおいて、回路基板３１の解錠信号入力端子４０または別の増設端子にインターホン機器を接続し、解錠信号をインターホン機器から制御回路３４に送信できるように構成すること。
（２）図４において、回路基板３１にセンサー接続端子を増設し、センサー接続端子にこじ開け検出センサー等の防犯センサーを接続し、防犯センサーが不正侵入を検出したときに、制御回路３４が警報器４２を動作させるように構成すること。
【図面の簡単な説明】
【００２１】
【図１】本発明の一実施形態を示す施錠システムの全体構成図である。
【図２】施錠システムの変更例を示す全体構成図である。
【図３】施錠システムの制御器および操作器を示す正面図である。
【図４】施錠システムの電気的構成を示すブロック図である。
【図５】電磁錠の取付構造を示す扉の建付図である。
【符号の説明】
【００２２】
１，９    施錠システム
２    住宅
３    扉
４    電磁錠
６    制御器
７    操作器
１１，２１    操作パネル
１２，１３，１４，２２，２３，２４    表示部
１５，２５    ドアランプ
１６，２６    フリースイッチ
１７，２７    フリーランプ
１８，２８    オープンスイッチ
１９，２９    オープンランプ
３４    制御回路
３６    電源回路
４３    テンキー
５１    電磁石
５２    開扉スイッチ
５７    吸着板
【図１】
2008088740.tif 000003
【図２】
2008088740.tif 000004
【図３】
2008088740.tif 000005
【図４】
2008088740.tif 000006
【図５】
2008088740.tif 000007